(57)【要約】【課題】  多品種のワークを姿勢制御可能に支持するワーク支持ユニットを搭載した無人搬送車によって多種混流組み立てを可能にし、また、それを用いた部品組み付け作業ラインにおいてワーク支持ユニットによってワークの姿勢制御を行い作業者の作業効率を高めることのできる作業システムを提供する。【解決手段】  ワーク支持ユニット搭載無人搬送車１０は、主に自動車用エンジンをワークＡとして、このワークＡを姿勢制御可能なワーク支持ユニット２０で支持し、このワーク支持ユニット２０が無人搬送車３０に搭載されたものである。ワーク支持ユニット２０は、垂直軸まわりに回動可能な旋回台２１と、旋回台２１上に立設し垂直方向に昇降可能な昇降スタンド２２と、昇降スタンド２２に水平軸まわりに回動可能でワークを支持するための支持部２３とを具備している。【選択図】 図１
2014184503.tif 000002
【特許請求の範囲】
【請求項１】
垂直軸まわりに回動可能な旋回台と、
前記旋回台上に立設し垂直方向に昇降可能な昇降スタンドと、
前記昇降スタンドに水平軸まわりに回動可能でワークを支持するための支持部と、
を具備し、前記旋回台と前記昇降スタンドと前記支持部との協調運動により支持された前記ワークの姿勢制御を行うためのワーク支持ユニットを無人搬送車の基台に搭載したことを特徴とするワーク支持ユニット搭載無人搬送車。
【請求項２】
前記支持部が交換可能なことを特徴とする請求項１記載のワーク支持ユニット搭載無人搬送車。
【請求項３】
請求項１又は２に記載のワーク支持ユニット搭載無人搬送車を用いた作業システムであって、
ワークを支持したワーク支持ユニット搭載無人搬送車が、制御部を用いて所定の誘導経路を移動し、前記誘導経路上に設けられた部品組み付けのための複数の作業ステーションを所定の順序に移動する部品組み付け作業システムであり、
前記ワーク支持ユニット搭載無人搬送車が移動すると、次の作業ステーションの制御部に記憶された、組み付けられる部品の前記ワークに対する組み付け位置情報を含む部品属性情報と当該作業ステーションに従事する作業者の作業者属性情報とを有する作業ステーション属性情報を前記ワーク支持ユニット搭載無人搬送車の制御部に読み出して、前記作業ステーション属性情報に基づく前記ワークの姿勢を決定し、前記ワーク支持ユニットによって前記ワークを姿勢制御することを特徴とするワーク支持ユニット搭載無人搬送車を用いた作業システム。
【請求項４】
前記作業者属性情報は、作業者の体格と作業者の利き手情報及び過去の同一作業における前記ワークの姿勢情報が含まれていることを特徴とする請求項３に記載のワーク支持ユニット搭載無人搬送車を用いた作業システム。
【請求項５】
前記ワーク支持ユニット搭載無人搬送車が、組み付け作業が完了した作業ステーションから次の作業ステーションへの移動中に次の作業ステーション属性情報を読み出し、次の作業ステーションに到着するまでに前記ワーク支持ユニットによって前記ワークの姿勢制御を完了させることを特徴とする請求項３又は４に記載のワーク支持ユニット搭載無人搬送車を用いた作業システム。
【発明の詳細な説明】
【技術分野】
【０００１】
本発明は、自動車用エンジン等のワークに部品を組み付ける際に用いられる自動走行の無人搬送車に搭載されるワークを支持するための装置およびそれを用いた組み立て作業においての作業システムに関する。
【背景技術】
【０００２】
近年、自動車等の工業製品の生産工場の組み立て作業では、ワークや部品を搬送する手段として予め記憶された走行ルートを自動走行する無人搬送車が採用されている。無人搬送車は、工場の床面に敷設された誘導経路を電磁気的または光学的に検出しながら該誘導経路に沿って自動走行する。この無人搬送車は、誘導経路上のピッキングゾーンに移動し、そこで作業者やロボットによって無人搬送車に部品が搭載された後、誘導経路上の該部品が必要な場所に移動する。
【０００３】
また、別の例では、特許文献１や特許文献２のように、無人搬送車がワークを直接搭載し或いはワークを搭載した台車を牽引して作業者が常駐している誘導経路上の作業ゾーンに移動し、作業者が無人搬送車もしくは台車に搭載されたワークに対して組み付けなどの作業を実施する。作業者による作業が完了すると、無人搬送車は誘導経路上の作業済みのワークが必要な場所に移動するものもある。
【０００４】
これら無人搬送車には、ワークを積載する際に、専用の治具を用いてワークを保持することもある。例えば、特許文献３のように、ワークを吊り下げるためのクレーンを設けた無人搬送車用吊下治具や、特許文献４のような、自動車の車体ごと吊り下げて回転可能なハンガーが設けられた無人搬送台車も開示されている。
【先行技術文献】
【特許文献】
【０００５】
【特許文献１】特許第４２６５４６２号
【特許文献２】特許第４９５２５６５号
【特許文献３】特許第３０８３９７３号
【特許文献４】特許第４７１０８８２号
【発明の概要】
【発明が解決しようとする課題】
【０００６】
しかしながら、従来の無人搬送車や治具が設けられた無人搬送車はワークを運搬する能力には長けているが、組み立て作業において用いられる場合、従来では無人搬送車の運搬能力や省スペース省コストを求められることが多く、組み立て作業では治具の構造上作業者に無理な体勢を強いることもあり作業効率が低下するような無人搬送車もあった。
【０００７】
また、現在の生産方式は、製品コスト低減のための投資圧縮や部品の共通化などの努力により多品種混流生産が多くなっており、従来の無人搬送車用治具のような１種類のワークのみを運搬する構成の無人搬送車では、ワークの種類毎に治具の製作や載せ替え作業が発生するため生産効率の低下に繋がるおそれがあった。
【０００８】
本発明の課題は、多品種のワークを姿勢制御可能に支持するワーク支持ユニットを搭載した無人搬送車によって多種混流組み立てを可能にし、また、それを用いた部品組み付け作業ラインにおいてワーク支持ユニットによってワークの姿勢制御を行い作業者の作業効率を高めることのできる作業システムを提供することにある。
【課題を解決するための手段】
【０００９】
本発明は、上述した課題を解決するためになされたものであり、請求項１に記載のワーク支持ユニット搭載無人搬送車は、垂直軸まわりに回動可能な旋回台と、前記旋回台上に立設し垂直方向に昇降可能な昇降スタンドと、前記昇降スタンドに水平軸まわりに回動可能でワークを支持するための支持部と、を具備し、前記旋回台と前記昇降スタンドと前記支持部との協調運動により支持された前記ワークの姿勢制御を行うためのワーク支持ユニットを無人搬送車の基台に搭載したことを特徴としている。
【００１０】
請求項２記載の発明は、前記支持部が交換可能なことを特徴とする請求項１記載のワーク支持ユニット搭載無人搬送車である。
【００１１】
請求項３記載の発明は、請求項１又は２に記載のワーク支持ユニット搭載無人搬送車を用いた作業システムであって、ワークを支持したワーク支持ユニット搭載無人搬送車が、制御部を用いて所定の誘導経路を移動し、前記誘導経路上に設けられた部品組み付けのための複数の作業ステーションを所定の順序に移動する部品組み付け作業システムであり、前記ワーク支持ユニット搭載無人搬送車が移動すると、次の作業ステーションの制御部に記憶された、組み付けられる部品の前記ワークに対する組み付け位置情報を含む部品属性情報と当該作業ステーションに従事する作業者の作業者属性情報とを有する作業ステーション属性情報を前記ワーク支持ユニット搭載無人搬送車の制御部に読み出して、前記作業ステーション属性情報に基づく前記ワークの姿勢を決定し、前記ワーク支持ユニットによって前記ワークを姿勢制御することを特徴とするワーク支持ユニット搭載無人搬送車を用いた作業システムである。
【００１２】
請求項４記載の発明は、前記作業者属性情報は、作業者の体格と作業者の利き手情報及び過去の同一作業における前記ワークの姿勢情報が含まれていることを特徴とする請求項３に記載のワーク支持ユニット搭載無人搬送車を用いた作業システムである。
【００１３】
請求項５記載の発明は、前記ワーク支持ユニット搭載無人搬送車が、組み付け作業が完了した作業ステーションから次の作業ステーションへの移動中に次の作業ステーション属性情報を読み出し、次の作業ステーションに到着するまでに前記ワーク支持ユニットによって前記ワークの姿勢制御を完了させることを特徴とする請求項３又は４に記載のワーク支持ユニット搭載無人搬送車を用いた作業システムである。
【発明の効果】
【００１４】
請求項１に記載のワーク支持ユニット搭載無人搬送車は、垂直軸まわりに回動可能な旋回台と、旋回台上に立設し垂直方向に昇降可能な昇降スタンドと、昇降スタンドに水平軸まわりに回動可能でワークを支持するための支持部と、を具備し、旋回台と昇降スタンドと支持部との協調運動により支持されたワークの姿勢制御を行うためのワーク支持ユニットを無人搬送車の基台に搭載したことを特徴としているので、ワーク支持ユニットがワークの高さ、向き、傾きを制御できるので、ワークに組み付ける部品の場所や、作業者の情報に応じて姿勢制御を行うことによりワークの部品取り付け位置が作業者の作業しやすい位置に移動されるため作業の効率を大幅に向上することができる。
【００１５】
また、請求項２の発明は、支持部が交換可能なので、１台のワーク支持ユニット搭載無人搬送車で多種類のワークを支持運搬することができる。
【００１６】
また、請求項３記載の発明は、請求項１又は２に記載のワーク支持ユニット搭載無人搬送車を用いた作業システムであって、ワークを支持したワーク支持ユニット搭載無人搬送車が、制御部を用いて所定の誘導経路を移動し、前記誘導経路上に設けられた部品組み付けのための複数の作業ステーションを所定の順序に移動する部品組み付け作業システムであり、前記ワーク支持ユニット搭載無人搬送車が移動すると、次の作業ステーションの制御部に記憶された、組み付けられる部品の前記ワークに対する組み付け位置情報を含む部品属性情報と当該作業ステーションに従事する作業者の作業者属性情報とを有する作業ステーション属性情報を前記ワーク支持ユニット搭載無人搬送車の制御部に読み出して、前記作業ステーション属性情報に基づく前記ワークの姿勢を決定し、前記ワーク支持ユニットによって前記ワークを姿勢制御することを特徴とするワーク支持ユニット搭載無人搬送車を用いた作業システムなので、各作業ステーションで組み付ける部品の部品属性情報と作業者の属性情報を読み取ってワークの姿勢制御を行うことで、各作業者に最適な部品取り付け姿勢で作業することができ、作業の迅速化、作業者の負担軽減などの作業効率を大幅に向上することができる。
【００１７】
また、各ワークの部品情報を読み取るのでワークに不要な部品を組み付ける作業ステーションを通過して必要な部品組み付け作業ステーションへ移動することも可能である。
【００１８】
また、請求項４記載の発明は、前記作業者属性情報は、作業者の体格と作業者の利き手情報及び過去の同一作業における前記ワークの姿勢情報が含まれていることを特徴とする請求項３に記載のワーク支持ユニット搭載無人搬送車を用いた作業システムなので、各作業者情報を蓄積することで、作業ステーションの作業者が交代しても交代した作業者属性情報を読み込めば即座にその情報が反映されてワークの姿勢制御を行うことができるので、作業者の負担軽減のみならず製品の品質保持にも大いに役立つ。
【００１９】
また、請求項５記載の発明は、前記ワーク支持ユニット搭載無人搬送車が、組み付け作業が完了した作業ステーションから次の作業ステーションへの移動中に次の作業ステーション属性情報を読み出し、次の作業ステーションに到着するまでに前記ワーク支持ユニットによって前記ワークの姿勢制御を完了させることを特徴とする請求項３又は４に記載のワーク支持ユニット搭載無人搬送車を用いた作業システムなので、作業ステーションに到着すると同時に部品の取り付け作業を行えるのでシステム全体の時間削減に寄与できる。
【図面の簡単な説明】
【００２０】
【図１】本発明に係るワーク支持ユニット搭載無人搬送車の実施形態の図で、（ａ）は正面図、（ｂ）は平面図、（ｃ）は左側面図を示す。
【図２】本発明に係るワーク支持ユニットの実施形態の図で、（ａ）は正面図、（ｂ）は平面図、（ｃ）は左側面図を示す。
【図３】本発明に係るワーク支持ユニット搭載無人搬送車を用いた作業システムのレイアウト図である。
【発明を実施するための形態】
【００２１】
以下、図面を参照して、本発明の実施の形態の一例について、さらに詳しく説明する。図１は本発明に係るワーク支持ユニット搭載無人搬送車の実施形態の図、図２はワーク支持ユニットの図、図３はワーク支持ユニット搭載無人搬送車を用いた作業システムのレイアウト図を示す。
ワーク支持ユニット搭載無人搬送車１０は、主に自動車用エンジンをワークＡとして、このワークＡを姿勢制御可能なワーク支持ユニット２０で支持し、このワーク支持ユニット２０が無人搬送車３０に搭載されたものである。ワーク支持ユニット搭載無人搬送車１０は、ワークＡを運搬するだけでなく、ワークＡに組み付けられる種々の部品の組み立てる作業システムのうち各作業ステーションを移動するための作業台車として利用される。ワーク支持ユニット搭載無人搬送車１０は、設定された誘導経路４０を走行し、所定の作業ステーションＳＴを所定の順番に移動して、各作業ステーションごとにワークＡに部品を取り付けるための最適な姿勢制御を行いワークＡに部品が組み付けられていく。
【００２２】
ワーク支持ユニット２０は、垂直軸まわりに回動可能な旋回台２１と、旋回台２１上に立設し垂直方向に昇降可能な昇降スタンド２２と、昇降スタンド２２に水平軸まわりに回動可能でワークを支持するための支持部２３とを具備している。旋回台２１と昇降スタンド２２と支持部２３はそれぞれアクチュエータによって動作することができる。アクチュエータは、電動モータや油圧シリンダが用いられているがそれに限らない。また、アクチュエータは外部からの信号で動作することもできる。
【００２３】
旋回台２１は垂直軸まわりに回動可能であり、無人搬送車３０の基台３１に設置されている。旋回台２１は図１（ｂ）の平面図のように蒲鉾形状で板状の台座の下面にアクチュエータが設けられアクチュエータの中心軸まわりに回動する。アクチュエータは無人搬送車３０から電力供給を得ている。
【００２４】
昇降スタンド２２は旋回台２１に立設し垂直方向に昇降可能である。昇降スタンド２２は２本のアクチュエータによって昇降する構造となっている。本実施例では２本使用しているが、ワークのサイズ、重量に応じてアクチュエータの能力や本数を変更すると良い。昇降スタンド２２は図１（ｂ）の平面図のように旋回台２１の台座の一辺側に偏って設けられている。
【００２５】
支持部２３は、本実施例ではフランジ形状で、フランジ面にワークＡをネジ止めする形状となっていて、昇降スタンド２２の２本のアクチュエータ上端部に取り付けられており、フランジの中心軸が水平軸と平行で軸中心に回動する構成となっている。つまり、支持部２３に取り付けられたワークＡもフランジの軸中心で回動することとなる。また、支持部２３は交換可能となっており、その形状をワークＡの形状や支持したい部分の形状に合わせて製作すれば様々なワークを支持することが可能となる。
【００２６】
ワーク支持ユニット２０は、旋回台２１の垂直軸中心の回動、昇降スタンド２２の垂直方向の移動、支持部２３の水平軸中心の回動を組み合わせることによって、ワークＡの高さ・向き・傾きの姿勢制御を行うので、自由度の高い姿勢制御を行うことができる。
【００２７】
無人搬送車３０は、ワーク支持ユニット２０を搭載するための基台３１と、操舵輪３２と、車輪３３と、無人搬送車３０の制御及びワーク支持ユニット２０を主に行う制御盤３４と、誘導経路４０や障害物の検知等のセンサ３５を有している。本実施例のワーク支持ユニット搭載無人搬送車１０は自動車用エンジンをワークとして支持搬送するもので、充電式バッテリーによる電動車であり、無人搬送車３０のサイズとしては長手方向が約１０００ｍｍ、短手方向が約８００ｍｍ、床面から基台までの高さが約２５０ｍｍとなっている。
【００２８】
次に、図３を参照して、本実施例のワーク支持ユニット搭載無人搬送車１０の部品組み付けの作業システムを説明する。本作業システムではシステム全体をホストコンピュータにて監視しており、随時各ワーク支持ユニット搭載無人搬送車１０へ無線により走行の指示や状態の受信を行うこともできる。また、各搬送車、各作業ステーションＳＴ、各作業者には個別のＩＤが付与され、そのＩＤに属性情報が関連づけられて管理されている。
各ワーク支持ユニット搭載無人搬送車１０には取り付けられたワークＡの必要部品情報と部品の取り付け順番による作業ステーションの移動順番情報が記憶され、各作業ステーションＳＴには組み付けられる部品属性情報及び現在そのステーションで作業している作業者属性情報を含む作業ステーション属性情報が記憶され、各作業者には作業者の体格と作業者の利き手情報、過去の同一作業におけるワークの姿勢情報が記憶されている。なお、本実施例では作業ステーションＳＴは１１箇所設けられている。
【００２９】
ワーク支持ユニット搭載無人搬送車１０はワークＡが取り付けられた状態でｉｄｌｅＳＴで待機している。搬送車は待機中に充電も可能となっている。各ワーク支持ユニット搭載無人搬送車１０は支持部２３を交換すると多種のワークＡを支持することが可能で、さらにワークの種類や取り付ける部品の情報を個々に受信記憶しているので、ワークによって取り付ける部品の種類や取り付け順序通りに作業ステーションを移動することができる。例えば、ＳＴ１の次にＳＴ４へ移動して部品を取り付けることも可能である。つまり、ワーク支持ユニット搭載無人搬送車１０を用いた作業システムでは、多品種のワーク組み付け作業を１つの作業システムで運用することが可能となるので多種混流用組立ラインとして効率的に運用することができる利点がある。
【００３０】
ワーク支持ユニット搭載無人搬送車１０はワークＡの種類と、そのワークＡに組み付けられる部品データ及び各部品が組み付けられる作業ステーションＳＴの属性情報、さらに作業ステーションＳＴの走行順序を受信記憶し、ホストコンピュータの発進信号を受信後発進する。
【００３１】
各作業ステーションでは、組み付けられる部品属性情報及び現在そのステーションで作業している作業者属性情報を含む作業ステーション属性情報を有しており、例えば、ｉｄｌｅＳＴで待機していたワーク支持ユニット搭載無人搬送車１０が発進しＳＴ１へ移動する場合、事前に或いは走行中に受信したＳＴ１の作業ステーション属性情報を読み出し、組み付ける部品と作業者の体格と作業者の利き手情報、過去の同一作業におけるワークの姿勢情報より最適なワークＡの姿勢をワーク支持ユニット２０によって制御し、ＳＴ１に到着した時点では既に姿勢制御が完了していて、作業者はすぐに作業に取りかかることができる。
ＳＴ１の作業者が制御盤３４に設けられた作業完了ボタンを押すとワーク支持ユニット搭載無人搬送車１０は記憶されている次の作業ステーション例えばＳＴ２へと移動する。移動中にＳＴ２の作業ステーション属性情報を読み出し、ワークＡの姿勢制御を行いながら移動しＳＴ２に到着後すぐに作業に取りかかることができる。
【００３２】
また、作業ステーションの作業者が他者に交代したとしても、個々の作業者のＩＤを読み取って作業ステーションの作業者属性情報を瞬時に書き換えることができるので、その作業者に対応したワークＡの姿勢制御も確実に行うことができる利点がある。これによって作業者は各自作業しやすい姿勢で組み付け作業ができるので作業の効率化や作業者の負担軽減に貢献することができる。
【産業上の利用可能性】
【００３３】
本発明のワーク支持ユニット搭載無人搬送車及びそれを用いた作業システムでは、自動車用エンジンの部品組み付けラインを一例として説明したが、これに限らず無人搬送車を使用する製品の部品組み付けラインに適用することができる。
【符号の説明】
【００３４】
A      ワーク
ＳＴ    作業ステーション
１０    ワーク支持ユニット搭載無人搬送車
２０    ワーク支持ユニット
２１    旋回台
２２    昇降スタンド
２３    支持部
３０    無人搬送車
３１    基台
３２    操舵輪
３３    車輪
３４    制御盤
３５    センサ
４０    誘導経路
【図１】
2014184503.tif 000003
【図２】
2014184503.tif 000004
【図３】
2014184503.tif 000005